(57)【特許請求の範囲】
【請求項１】
着用者の顔面の対象部位を覆うマスク本体部と、このマスク本体部を前記着用者の耳に係止するための左右一対の耳掛け部と、前記着用者の対象部位に接触する内部シートとを備えるマスクであって、
前記内部シートは、
積層された複数のシート材を有し、
前記シート材は複数の貫通孔が形成され、当該複数の貫通孔に沿って部分切除可能とされ、
前記マスク本体部と前記シート材及び前記シート材と前記シート材との間に、消臭剤又は芳香剤が配置されたことを特徴とするマスク。
【請求項２】
前記消臭剤又は前記芳香剤は、シクロデキストリン又はマイクロカプセルを利用することを特徴とする請求項１記載のマスク。
【請求項３】
前記消臭剤は口臭防止剤であることを特徴とする請求項１記載のマスク。
【請求項４】
前記複数の貫通孔は、前記シート材の平面上に分散配置されていることを特徴とする請求項１から３のいずれか一項に記載のマスク。
【請求項５】
前記複数の貫通孔は、ライン状に配置されていることを特徴とする請求項１から３のいずれか一項に記載のマスク。
【請求項６】
前記複数の貫通孔は、スリット状であることを特徴とする請求項１から５のいずれか一項に記載のマスク。
【請求項７】
前記複数のスリット状の貫通孔は、縦方向、横方向又は斜め方向のいずれか沿った状態で形成されていることを特徴とする請求項６記載のマスク。
【請求項８】
前記複数のスリット状の貫通孔は、縦方向、横方向又は斜め方向の内の二以上の方向に沿った状態で形成されたものが混在していることを特徴とする請求項６記載のマスク。
【発明の詳細な説明】
【技術分野】
【０００１】
本発明は、着用者の顔面の鼻や口等を覆うマスクに関する。
【背景技術】
【０００２】
疾病時や花粉、黄砂等の粉塵飛来時、その他の日常生活において使用されるマスクとしては、マスク本体の左右又は上下の外縁部を折り返して隙間を形成し、当該両側の隙間にシート材を差し込むことで装着可能とするものがある。このシート材は、その両端部を隙間に差し込むだけで装着できるので、必要に応じて交換を行うことができるようになっていた（例えば、特許文献１参照）。
【０００３】
また、他のマスクとしては、マスク本体の内側に複数のシートが積層されて形成されたシート材を配置し、汚れが付着すると、シート材の最外層のシートを剥離して下層のシートに交換可能としていた（例えば、特許文献２参照）。
【先行技術文献】
【特許文献】
【０００４】
【特許文献１】特開２００１−３２１４５４号公報
【特許文献２】特許第４９８６７１９号公報
【発明の概要】
【発明が解決しようとする課題】
【０００５】
しかしながら、上記特許文献１及び２のマスクは、いずれも、シート材の一部のみが汚れた場合であっても、シート材の平面全体について交換或いは剥離させる必要があり、シート材の消費が激しく、マスクの寿命も短いという問題があった。
【０００６】
本発明は、シート材の消費が抑え、マスクの長寿命化を図ることをその目的とする。
【課題を解決するための手段】
【０００７】
請求項１記載の発明は、着用者の顔面の対象部位を覆うマスク本体部と、このマスク本体部を前記着用者の耳に係止するための左右一対の耳掛け部と、前記着用者の対象部位に接触する内部シートとを備えるマスクであって、
前記内部シートは、
積層された複数のシート材を有し、
前記シート材は複数の貫通孔が形成され、当該複数の貫通孔に沿って部分切除可能とされ、
前記マスク本体部と前記シート材及び前記シート材と前記シート材との間に、消臭剤又は芳香剤が配置されたことを特徴とする。
【０００９】
請求項２記載の発明は、請求項１記載のマスクにおいて、
前記消臭剤又は前記芳香剤は、シクロデキストリン又はマイクロカプセルを利用することを特徴とする。
【００１０】
請求項３記載の発明は、請求項１記載のマスクにおいて、
前記消臭剤は口臭防止剤であることを特徴とする。
【００１１】
請求項４記載の発明は、請求項１から３のいずれか一項に記載のマスクにおいて、
前記複数の貫通孔は、前記シート材の平面上に分散配置されていることを特徴とする。
【００１２】
請求項５記載の発明は、請求項１から３のいずれか一項に記載のマスクにおいて、
前記複数の貫通孔は、ライン状に配置されていることを特徴とする。
【００１３】
請求項６記載の発明は、請求項１から５のいずれか一項に記載のマスクにおいて、
前記複数の貫通孔は、スリット状であることを特徴とする。
【００１４】
請求項７記載の発明は、請求項６記載のマスクにおいて、
前記複数のスリット状の貫通孔は、縦方向、横方向又は斜め方向のいずれか沿った状態で形成されていることを特徴とする。
【００１５】
請求項８記載の発明は、請求項６記載のマスクにおいて、
前記複数のスリット状の貫通孔は、縦方向、横方向又は斜め方向の内の二以上の方向に沿った状態で形成されたものが混在していることを特徴とする。
【発明の効果】
【００１６】
本発明は、内部シートは、複数の貫通孔が形成され、当該複数の貫通孔に沿って部分切除可能である単数のシート材又は積層された複数のシート材を有するので、シート材における汚れが付着した部分のみを切除して除去することができ、シート材を一枚全て廃棄する場合に比べてシート材の消費量を低減することができ、コスト性の高いマスクを提供することができる。
また、シート材を部分的に切除するので、新たな汚れの付着箇所が発生しても、その部分をあらためて切除することができ、長期にわたって使用することが可能なマスクを提供することが可能となる。
さらに、マスク本体部とシート材又はシート材とシート材との間に、消臭剤又は芳香剤を配置した場合には、着用者側のシート材を切除すると、消臭効果又は芳香効果が発現し、新規のマスクに交換したかのような清爽感を得ることが可能となる。
また、シート材は部分切除可能なので、その切除量に応じて消臭効果又は芳香効果を調整することも可能である。
【図面の簡単な説明】
【００１７】
【図１】第一の実施形態のマスクを示す斜視図である。
【図２】プリーツを広げていない状態のマスク本体部とその後面に設けられた内部シートの側面図である。
【図３】マスクの背面図である。
【図４】図４（Ａ）〜図４（Ｄ）は内部シートに形成する貫通孔の具体例を示す説明図である。
【図５】内部シートのシート材を部分的に切除したマスクの背面図である。
【図６】第二の実施形態たるマスクの背面図である。
【図７】内部シートのシート材を部分的に切除したマスクの背面図である。
【図８】第三の実施形態たるマスクの上下及び前後方向に沿った断面による断面図である。
【図９】第三の実施形態の変形例のマスクの上下及び前後方向に沿った断面による断面図である。
【発明を実施するための形態】
【００１８】
以下に、本発明について、図面を用いて具体的な態様を説明する。ただし、発明の範囲は、図示例に限定されない。
【００１９】
［第一の実施形態］
図１は本発明を適用した発明の第一の実施形態のマスク１００を示す斜視図である。
なお、以下の説明では、顔面側を後側とし、その反対側を前側とする。さらに、マスク１００を装着した状態における上側を上部、下側を下部とし、着用者の左手側を左、右手側を右とする。
【００２０】
マスク１００は、例えば、使い捨てのプリーツ型のマスク１００であり、具体的には、図１及び図２に示すように、着用者の顔面の鼻や口や顎（対象部位）等を覆うマスク本体部１と、このマスク本体部１を着用者の耳に係止するための左右一対の耳掛け部２、２と、マスク本体部１の後面側（内側）に設けられ、マスク１００の着用者の顔面の鼻や口等の対象部位に接触する内部シート３とを備えている。
【００２１】
マスク本体部１は、例えば、正面視にて略矩形状に形成され、左右方向に沿って形成されたプリーツ１１が上下方向に複数形成されている。また、マスク本体部１の左右両側の端縁部はプリーツ１１が拡開しないように固着されている。
そして、マスク１００の着用時には左右方向における中央部でプリーツ１１が上下方向に広がることによりマスク本体部１が外側に膨出するように山型の立体的形状となって、着用者の顔面の鼻や口や顎等が覆われるようになっている。
【００２２】
また、マスク本体部１はシート材から形成されており、当該シート材は、例えば、スパンボンド不織布、メルトブロー不織布、スパンレース不織布、ガーゼ、タオル地等による一枚生地又は複数重ね合わせの生地から形成されている。
なお、マスク本体部１の製造方法は、公知のものであれば如何なるものであっても良く、詳細な説明は省略する。
【００２３】
また、マスク本体部１の左右方向の両縁部１２には、左右一対の耳掛け部２、２が設けられている。
左右一対の耳掛け部２、２の各々は、例えば、平紐であり、ゴム紐が縫い込まれて全体が伸縮性を有するものであっても良い。
左側の耳掛け部２の一端部はマスク本体部１の左縁部の上端に、他端部はマスク本体部１の左縁部の下端に縫い付け、接着又は溶着より固定されている。
また、右側の耳掛け部２の一端部はマスク本体部１の右縁部の上端に、他端部はマスク本体部１の右縁部の下端に縫い付け、接着又は溶着より固定されている。
【００２４】
［内部シート］
図２はプリーツ１１を広げていない状態のマスク本体部１とその後面に設けられた内部シート３の側面図、図３はマスク１００の背面図である。
内部シート３は、マスク本体部１の後面側に配置されるシート材３２と当該シート材３２をマスク本体部１の後面に貼着する粘着剤層３１とが二重に積層されており、着用者から見て内側（前側）となるシート材３２の後面側には消臭剤３３が配置されている。
【００２５】
シート材３２は、例えば、スパンボンド不織布、メルトブロー不織布、スパンレース不織布、難水溶性の紙等から形成されている。
シート材３２は、図示を省略しているが、マスク本体部１と同様に、左右方向に沿って形成されたプリーツが上下方向に複数形成されている。このため、マスク本体部１のプリーツ１１が上下方向に広がる際には、シート材３２も上下方向に広げることができ、山型の立体的形状となって、着用者の顔面の鼻や口や顎等を覆うことができる。
【００２６】
また、シート材３２は、その表裏に貫通する無数の貫通孔ｈがシート材３２の平面全体に分散した配置で形成されている。複数の貫通孔ｈは、シート材３２を部分的に切除するためのものであり、一定の間隔で規則性を持った配置で形成しても良いし、ランダムな配置で形成しても良い。
【００２７】
複数の貫通孔ｈとして好ましい具体例を説明すると、図４（Ａ）に示すように、貫通孔ｈは、マスクの左右方向に1mm〜5mmの長さを有するスリット状とすることが好ましい。
また、図４（Ｂ）のように、貫通孔ｈは、左右方向に1mm〜5mmの長さを有するスリットと上下方向に1mm〜5mmの長さを有するスリットとを混在させても良い。
また、図４（Ｃ）のように、貫通孔ｈは、マスクの左右方向に1mm〜5mm、上下方向に1mm〜5mmの長さを有する十字型のスリットから形成しても良い。
また、スリット状の貫通穴ｈは図４（Ｄ）のように、斜めに傾斜した方向で形成しても良い。
また、貫通孔ｈは、スリット状に限らず、マスクの左右方向に1〜2mm、上下方向に1mm〜2mmの円形などから形成しても良い。
いずれの場合でも、シートを形成する繊維が3mm〜7mmの範囲で切断される配置及び間隔で貫通孔ｈを形成することが好ましい。
【００２８】
シート材３２の前面全体には粘着剤層３１が形成されている。
この粘着剤層３１を構成する粘着剤は、アレルギー性の低い感圧性接着剤であって臭いや揮発成分の有無等も考慮して人体に対する影響が十分に小さいものが使用される。感圧性であるため、化学反応による硬化等が生じにくく、長期間の粘着性を維持することができる。
シート材３２は部分的に切除されることが予定されているので、粘着剤層３１の粘着力は、シート材３２を手で引っ張れば容易に剥離できる程度に調整されている。
なお、粘着剤層３１は、粘着剤が面全体に層状をなす場合に限らず、面全体にドット状に分散配置しても良い。
【００２９】
また、消臭剤３３は、前側のシート材３２の後面全体に分散又は含浸せしめられている。消臭剤３３としてはシクロデキストリンを利用する。かかるシクロデキストリンからなる消臭剤は、外部の水分に触れると、口臭の悪臭成分であるメルカプタンやその他の悪臭成分を取り込むことができ、これにより消臭効果を発現する。
また、シクロデキストリンに予め香料を包接させても良い。その場合には、シクロデキストリンは悪臭成分を取り込むと共に替わりにその内部の香料を放出する。これにより、シクロデキストリンは、芳香の効果も得ることが出来、芳香剤としても機能する。
【００３０】
なお、消臭剤３３としては、口臭防止剤としての茶カテキン、ポリフェノール、ポピドンヨード等の試薬を封入したマイクロカプセル利用しても良い。また、口臭防止に限らず、他の消臭成分をマイクロカプセルに封入しても良い。
また、消臭剤に替えて、香料を封入したマイクロカプセルからなる芳香剤を上記のシート材３２に分散又は含浸せしめても良い。
【００３１】
［マスクの着用方法］
マスク１００の着用時には、マスク本体部１の後面側を着用者に向けて、左右の耳掛け部２，２をそれぞれ左右の耳に引っ掛ける。また、左右の耳掛け部２，２を引っ掛けた後には、マスク本体部１の各プリーツ１１及び内部シート３のプリーツを上下に引っ張り、マスク本体部１及び内部シート３を前方に凸となる立体形状に変形させる。
【００３２】
そして、着用開始から時間が経過して内部シート３の後側のシート材３２に唾液、口紅、鼻水、汗等の汚れが部分的に付着した場合には、図５に示すように、汚れの付着部分のみをシート材３２の貫通孔ｈに沿って部分的に切除する。これにより、汚れのない面が露出し、マスク１００の内部に清浄に維持することができる。
また、後側のシート材３２を部分切除することにより、前側のシート材３２の後面の一部が露出する。当該シート材３２の後面には、消臭剤３３が分散又は含浸されているので、その消臭効果が発現する。
また、前側のシート材３２の後面に芳香剤を分散又は含浸させていた場合には、その芳香効果が発現する。
【００３３】
［実施形態の技術的効果］
このように、上記マスク１００は、複数の貫通孔ｈが形成され、当該複数の貫通孔ｈに沿って部分切除可能であるシート材３２を備えるので、シート材３２における汚れが付着した部分のみを切除して除去することができ、シート材３２を一枚全て廃棄する場合に比べてシート材３２の消費量を低減することができ、コスト性の高いマスクを提供することができる。
また、シート材３２を部分的に切除するので、新たな汚れの付着箇所が発生しても、その部分をあらためて切除することができ、長期にわたって使用することが可能なマスクを提供することが可能となる。
【００３４】
また、シート材３２に形成された複数の貫通孔ｈは、シート材の平面に沿って分散配置されているので、貫通孔ｈの配置に拘わらず汚れが付着した部分のみを切除することができ、余分な範囲の除去を回避できるので、さらにコスト性が高く、長寿命化を図ることが可能となる。
特に、貫通孔ｈをスリット状とした場合には、スリットに沿った方向の切除が容易となる。また、方向が異なるスリットを混在させた場合には任意の形状にシート材３２を切除することが容易となる。
【００３５】
さらに、前側のシート材３２の後面に消臭剤３３（又は芳香剤）が分散又は含浸により配置されているので、後側のシート材３２の部分切除により消臭効果（又は芳香効果）が発現し、着用者は新規のマスクを新たに装着したかのような清爽感を得ることが出来る。その際、後側のシート材３２の切除量に応じて、消臭効果（又は芳香効果）を調整することも可能である。
【００３６】
［第二の実施形態］
この第二の実施形態以降で説明するマスクについては、全て、図１のマスク１００と異なる点について専ら説明するものとし、図１のマスクと同じ構成については説明を省略する。
図６は第二の実施形態たるマスク１００Ａの背面図である。このマスク１００Ａは、貫通孔ｈの配置が異なる二層のシート材３２Ａを有する内部シート３Ａを備えている。
【００３７】
上記内部シート３Ａの各シート材３２Ａは、その平面の上下方向の中央部に左右方向沿ったライン状に複数の貫通孔ｈが並んで形成されている。
また、各シート材３２Ａの前面側にはマスク１００と同じ粘着剤層が形成されている。
また、前側のシート材３２Ａの後面側には、前述した消臭剤３３と同じ消臭剤３３Ａが分散又は含浸せしめられている。
【００３８】
上記内部シート３Ａは、ライン状の貫通孔ｈによりそれぞれのシート材３２Ａを上下に二分することができる。従って、マスク１００Ａの着用時にシート材３２Ａの上下いずれかの範囲に汚れが付着した場合に、上下いずれかの汚れた方の部分を貫通孔ｈに沿って切除することができる。例えば、シート材３２Ａの下側部分に汚れが付着した場合には、図７に示すように、貫通孔ｈのラインに沿ってシート材３２Ａの下半分を切除する。
また、後側のシート材３２Ａについて上記切除が行われると、前側のシート材３２Ａの後面側の上半分に配置された消臭剤３３Ａが露出し、消臭効果が発現する。
【００３９】
このように、上記マスク１００Ａは、汚れが付着した上下いずれかの部分のみを切除して除去することができるので、シート材３２Ａを一枚全て廃棄する場合に比べてシート材の消費量を低減することができ、コスト性の高いマスクを提供することができる。
また、シート材３２Ａを部分的に切除するので、残り部分に新たな汚れの付着箇所が発生しても、その部分をあらためて切除することができ、長期にわたって使用することが可能なマスクを提供することが可能となる。
さらに、前側のシート材３２Ａの後面に消臭剤３３Ａが配置されているので、後側のシート材３２の部分切除により消臭効果が発現し、着用者は清爽感を得ることが出来る。
【００４０】
また、シート材３２Ａに形成された複数の貫通孔ｈは、シート材３２Ａの平面に沿って分散配置されているので、貫通孔ｈの配置に拘わらず汚れが付着した部分のみを切除することができ、余分な範囲の除去を回避できるので、さらにコスト性が高く、長寿命化を図ることが可能となる。
また、シート材３２Ａの複数の貫通孔ｈはライン状に並んで形成されているので、切除の際には、当該ラインに沿って行えば良く、切除作業を容易に行うことが可能である。
【００４１】
なお、図６では左右方向に沿った一本のラインのみに沿って貫通孔ｈを形成した場合を例示したが、ラインの方向や本数は任意であり、使用の目的に応じて貫通孔ｈのラインにより、より複雑に区画しても良い。
また、このマスク１００Ａの場合にも、消臭剤３３Ａに替えて芳香剤を配置しても良いことは勿論である。
【００４２】
［第三の実施形態］
図８は第三の実施形態たるマスク１００Ｂの上下及び前後方向に沿った断面による断面図である。
このマスク１００Ｂは、前側のシート部材３２Ｂの後面に消臭剤を含ませた消臭シート３３Ｂを備えている。
【００４３】
マスク本体部１Ｂは、前述したマスク本体部１と同じ素材で同じ構造からなる。
また、内部シート３Ｂは、前述したシート材３２及び粘着剤層３１と同じ素材で同じ構造からなるシート材３２Ｂ及び粘着剤層３１Ｂが二重に積層されている。
そして、マスク本体部１Ｂの後面側にシート材３２Ｂの複数の貫通孔ｈを避ける配置で複数の消臭シート３３Ｂが固着されている。この消臭シート３３Ｂにはマスク１００の消臭剤３３と同じ消臭剤が分散又は含浸させられている。
【００４４】
上記構成のマスク１００Ｂのマスク本体部１Ｂの内部では、着用者の呼気に含まれる水分が消臭シート３３Ｂの消臭剤に曝され、口臭成分がシクロデキストリン内の消臭剤や香料と置換され、口臭が消臭され或いは香料がマスク本体部１Ｂの内部に拡散される。また、消臭剤としてマイクロカプセルを利用した場合も、試薬による消臭効果や芳香効果が発揮される。
【００４５】
従って、マスク１００Ｂでは、シート材３２Ｂの消費量低減及びマスクの長寿命化に加えて、悪臭、特に口臭を低減すると共に、マスク内に良好な芳香を供給することが可能となる。
また、消臭シート３３Ｂを着用者に対して二層分のシート材３２Ｂ及び粘着剤層３１Ｂを介して配置しているので、消臭剤や香料が着用者に直接触れることを回避することができる。
【００４６】
なお、消臭シート３３Ｂに替えて前述した芳香剤を分散又は含浸させた芳香シートを配置しても良いことは勿論である。
【００４７】
また、図９に示すように、シート材３２及び粘着剤層３１を三重に設け、最も前側のシート材３２と前から二番目の粘着剤層３１との間に消臭シート３３Ｂを配置しても良い。この場合も、消臭シート３３Ｂは貫通孔ｈを避ける配置とすることが望ましい。
この構成の場合も、着用者に対して二層分のシート材３２Ｂ及び粘着剤層３１Ｂが介在するので、消臭剤や香料が着用者に直接触れることを回避することができる。
【００４８】
［その他］
本発明は、上記各実施形態に限定されることなく、本発明の趣旨を逸脱しない範囲において、種々の改良並びに設計の変更を行っても良い。
例えば、各実施形態で示したマスクの形状や素材等は、一例であってこれに限られるものではなく、適宜任意に変更可能である。
加えて、今回開示された実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【００４９】
例えば、マスク本体部１，１Ｂは、着用者の顔面の鼻や口や顎を覆う場合を例示したが、顎までは覆わない大きさとしても良い。
また、マスク１００，１００Ａ，１００Ｂではプリーツ型を例示したが、これに限られない。
また、マスク１００，１００Ａ，１００Ｂでは、マスク本体部１，１Ｂと耳掛け部２とを別部材としたが、マスク本体部と耳掛け部とが耳を通す開口が形成された一枚のシートで連接されている構造としても良い。
【００５０】
また、内部シート３，３Ａ，３Ｂにおいては、二重のシート材及び粘着剤層を備える構成としたが、一重としても良いし、三重以上としても良い。
一重の場合には、消臭剤や芳香剤又は消臭シートや芳香シートは、マスク本体部１の後面に配置することが望ましい。
また、三重以上とした場合には、最も後方のシート材を除く他の全てのシート材の前面に芳香剤又は消臭シートや芳香シートは、マスク本体部１の後面に配置することが望ましい。
また、前述したシート材及び粘着剤層を二重とした場合や三重以上とした場合でも、マスク本体部１の後面に消臭剤や芳香剤又は消臭シートや芳香シートを配置しても良い。
【符号の説明】
【００５１】
１，１Ｂ  マスク本体
２  耳掛け部
３，３Ａ，３Ｂ  内部シート
１１  プリーツ
３１，３１Ｂ  粘着剤層
３２，３２Ａ，３２Ｂ  シート材
３３  消臭剤（芳香剤）
３３Ｂ  消臭シート
１００，１００Ａ，１００Ｂ  マスク
ｈ  貫通孔
【図１】
0006553914.tif 000002
【図２】
0006553914.tif 000003
【図３】
0006553914.tif 000004
【図４】
0006553914.tif 000005
【図５】
0006553914.tif 000006
【図６】
0006553914.tif 000007
【図７】
0006553914.tif 000008
【図８】
0006553914.tif 000009
【図９】
0006553914.tif 000010